(57)【要約】【課題】ＷＤＭ装置で自局の波長受信断情報、ＳＶ波長受信断情報を乗せたＳＶ信号を送信し、他局の波長受信断情報、ＳＶ波長受信断を収集することにより、そのＷＤＭ装置で伝送路光ファイバの障害評定を短時間で行えるようにした伝送路光ファイバの障害評定装置及び方法を提供する。【解決手段】自局の信号波長の波長断及びＳＶ波長の波長断の情報の検出を行う検出手段と、その検出手段で検出された情報を他局に対して定期的に転送する転送手段と、前記自局において前記他局で検出された波長断及びＳＶ波長の波長断の情報を定期的に受信して収集する収集手段と、前記検出手段で検出された情報及び前記収集手段で収集された情報に基いて伝送路光ファイバ障害の評定を行う評定手段とを有する。【選択図】図１
2010206630.tif 000002
【特許請求の範囲】
【請求項１】
検出手段が自局の信号波長の波長断及びＳＶ波長の波長断の情報の検出を行うとともに、転送手段がその検出された情報を他局に対して定期的に転送し、さらに、収集手段がその自局において他局で検出された波長断及びＳＶ波長の波長断の情報を受信を定期的に収集し、
評定手段が前記検出された情報及び前記収集された情報に基いて伝送路光ファイバ障害の評定を行う、
ことを特徴とする伝送路光ファイバ障害の評定方法。
【請求項２】
前記評定は、前記評定手段が前記検出された情報及び前記収集された情報と予め記憶されている伝送路光ファイバ障害の管理テーブルとを比較することによって行うことを特徴とする請求項１に記載の伝送路光ファイバ障害の評定方法。
【請求項３】
自局の信号波長の波長断及びＳＶ波長の波長断の情報の検出を行う検出手段と、
前記検出手段で検出された情報を他局に対して定期的に転送する転送手段と、
前記自局において前記他局で検出された波長断及びＳＶ波長の波長断の情報を定期的に受信して収集する収集手段と、
前記検出手段で検出された情報及び前記収集手段で収集された情報に基いて伝送路光ファイバ障害の評定を行う評定手段と、
を有することを特徴とする伝送路光ファイバ障害の評定装置。
【請求項４】
前記評定手段は、前記検出手段で検出された情報及び前記収集手段で収集された情報と予め記憶されている伝送路光ファイバ障害の管理テーブルとを比較することによって評定されることを特徴とする請求項３に記載の伝送路光ファイバ障害の評定装置。
【請求項５】
前記転送手段、前記収集手段及び前記収集手段は、前記自局のＷＤＭ装置のＳＶ回路に設けられることを特徴とする請求項３又は４に記載の伝送路光ファイバ障害の評定装置。
【発明の詳細な説明】
【技術分野】
【０００１】
本発明は、伝送路光ファイバ障害の評定方法及びその装置に係り、特に、ＯＡＤＭシステムにおいて、自局のＷＤＭ装置からその自局の波長受信断情報、ＳＶ波長受信断情報を乗せたＳＶ信号を送信するとともに、そのＷＤＭ装置で他局の波長受信断情報、ＳＶ波長受信断を収集することにより、そのＷＤＭ装置で伝送路光ファイバ障害の評定を短時間で行えるようにしたものに関する。
【背景技術】
【０００２】
従来、ＯＡＤＭ（Ｏｐｔｉｃａｌ  Ａｄｄ／Ｄｒｏｐ  Ｍｕｌｔｉｐｌｅｘｅｒ）システムにおける伝送路光ファイバの障害評定装置は、図１２及び図１３に示されるように、光波長挿入分岐装置、すなわちＷＤＭ（Ｗａｖｅｌｅｎｇｔｈ  Ｄｉｖｉｓｉｏｎ  Ｍｕｌｔｉｐｌｅｘ）装置において自局に入力する波長断障害評定のみが行われていた。
最初に、図１２に示されるＷＤＭ装置２００から説明すると、このＷＤＭ装置２００は、波長多重分離部２０１を有していて、この波長多重分離部２０１は、波長群ＷＧ１、ＷＧ２、ＷＧ３を波長多重し、波長群ＷＧ４、ＷＧ５、ＷＧ６を波長分離するように構成されている。そして、各波長群ＷＧ４、ＷＧ５、ＷＧ６のラインには、それぞれ分岐器２０２ａ、２０２ｂ、２０２ｃが設けられているとともに、これら分岐器２０２ａ、２０２ｂ、２０２ｃは、波長断検出器２０３に接続されていて、この波長断検出器２０３で波長群ＷＧ４、ＷＧ５、ＷＧ６の波長有無が検出されるように構成されている。この波長断検出器２０３の検出信号は、ＣＰＵ２０４に入力されて波長受信断が評定されるように構成されている。
【０００３】
図１３に示されるＷＤＭ装置３００は、波長多重分離部３０１を有していて、この波長多重分離部３０１は、上記図１２と同様に、波長群ＷＧ１、ＷＧ２、ＷＧ３を波長多重し、波長群ＷＧ４、ＷＧ５、ＷＧ６を波長分離するように構成されている。そして、この波長多重分離部３０１から出力される監視制御信号、すなわちＳＶ信号（Ｓｕｐｅｒ  Ｖｉｓｏｒｙ  Ｓｉｇｎａｌ）のラインには、分岐器３０２が設けられているとともに、これら分岐器３０２は、波長断検出器３０３に接続されていて、この波長断検出器２０３で波長群ＷＧ４、ＷＧ５、ＷＧ６の波長有無を検出するように構成されている。この波長断検出器３０３の検出信号は、ＣＰＵ３０４に入力されて波長受信断が評定されるように構成されている。
【０００４】
また、ＯＡＤＭシステムにおける伝送路光ファイバの障害確認方法として、特許文献１及び特許文献２には、複数波長もしくは単波長のＳＶ信号を使ったＯＴＤＲ（Ｏｐｔｉｃａｌ  Ｔｉｍｅ  Ｄｅｌａｙ  Ｒｅｆｒｅｃｔｏｍｅｔｅｒ）法が提案されている。
【先行技術文献】
【特許文献】
【０００５】
【特許文献１】特開平１０−２６２０３０号公報
【特許文献２】特開２００６−２１１６３９号公報
【発明の概要】
【発明が解決しようとする課題】
【０００６】
しかしながら、従来のＷＤＭ装置における自局に入力する波長断障害評定は、１対１の対向であれば伝送路光ファイバ障害評定は可能であるが、ＯＡＤＭシステムに適用した場合、次のような課題が存在していた。 
その第１の課題は、ＷＤＭ装置に信号波長とＳＶ波長の波長断情報をＳＶ波長で送信する機能を有していないことで、自局の波長受信断情報、ＳＶ波長受信断情報を他局に対して定期的に転送することができないことである。 
第２の課題は、ＷＤＭ装置に異なるＳＶ波長の受信を行う機能を有していないことで、他局の波長受信断情報、ＳＶ波長受信断情報を定期的に収集することができないことである。 
第３の課題は、ＷＤＭ装置で自局の波長受信断情報、ＳＶ波長受信断情報を定期的に収集する手段及び他局の波長受信断情報、ＳＶ波長受信断情報を定期的に収集する手段を有しておらず、また、ＷＤＭ装置で伝送路光ファイバ障害の管理テーブルを持たないため、外部監視装置などで各局の障害情報を収集し、複数の障害情報から人手で解析を行うため時間を要してしまうということである。 
また、特許文献１や特許文献２におけるＯＴＤＲ法は、障害と思われる伝送路光ファイバの損失変動や障害距離を測定する上で有効かつ必要な手段であるが、この方法には、測定経路中の全ての信号出力を停止させることや測定時間に数十分〜数時間要するといった制約があるため、サービスインした通信システムでは、伝送路光ファイバ障害を常時監視することができないという課題を有している。
【０００７】
そこで、本発明は、上記欠点を解決するためになされたものであって、その目的は、自局のＷＤＭ装置でその自局の波長受信断情報、ＳＶ波長受信断情報を乗せたＳＶ信号を送信するとともに、その自局のＷＤＭ装置で他局の波長受信断情報、ＳＶ波長受信断を収集することにより、その自局のＷＤＭ装置で伝送路光ファイバの障害評定を短時間で行えるようにした伝送路光ファイバの障害評定方法及びその装置を提供することにある。
【課題を解決するための手段】
【０００８】
本発明に係る伝送路光ファイバ障害の評定方法は、上記目的を達成するために、自局の信号波長の波長断及びＳＶ波長の波長断の情報の検出を行うとともに、その検出された情報を他局に対して定期的に転送し、さらに、その自局において他局で検出された波長断及びＳＶ波長の波長断の情報を受信を定期的に収集し、前記検出された情報及び前記収集された情報に基いて伝送路光ファイバ障害の評定を行うことを特徴としている。
また、本発明に係る伝送路光ファイバ障害の評定方法は、評定は検出された情報及び収集された情報と予め記憶されている伝送路光ファイバ障害の管理テーブルとを比較することによって評定されることを特徴としている。
【０００９】
本発明に係る伝送路光ファイバ障害の評定装置は、上記目的を達成するために、自局の信号波長の波長断及びＳＶ波長の波長断の情報の検出を行う検出手段と、その検出手段で検出された情報を他局に対して定期的に転送する転送手段と、前記自局において前記他局で検出された波長断及びＳＶ波長の波長断の情報を定期的に受信して収集する収集手段と、前記検出手段で検出された情報及び前記収集手段で収集された情報に基いて伝送路光ファイバ障害の評定を行う評定手段とを有することを特徴としている。
また、本発明に係る伝送路光ファイバ障害の評定装置は、評定手段は検出手段で検出された情報及び収集手段で収集された情報と予め記憶されている伝送路光ファイバ障害の管理テーブルとを比較することによって評定されることを特徴としている。
そして、本発明に係る伝送路光ファイバ障害の評定装置は、収集手段及び収集手段は、自局のＷＤＭ装置のＳＶ回路に設けられることを特徴としている。
【発明の効果】
【００１０】
本発明に係る伝送路光ファイバ障害の評定方法は、ＷＤＭ装置で自局の波長受信断情報、ＳＶ波長受信断情報を乗せたＳＶ信号を送信し、他局の波長受信断情報、ＳＶ波長受信断を収集するようにしているので、ＷＤＭ装置で伝送路光ファイバの障害評定を短時間で行うことができる。
本発明に係る伝送路光ファイバ障害の評定装置は、ＷＤＭ装置のＳＶ回路に信号波長とＳＶ波長の波長断検出を行う機能、その波長断情報をＳＶ波長で送信する機能を有することで、自局の波長受信断情報、ＳＶ波長受信断情報を他局に対して定期的に転送することができ、また、ＷＤＭ装置のＳＶ回路に異なるＳＶ波長の受信を行う機能を有することで、他局の波長受信断情報、ＳＶ波長受信断情報を定期的に収集することができ、さらに、ＷＤＭ装置で自局の波長受信断情報、ＳＶ波長受信断情報を定期的に収集する手段、及び他局の波長受信断情報、ＳＶ波長受信断情報を定期的に収集する手段を有しているので、ＷＤＭ装置で予め持っている伝送路光ファイバ障害の管理テーブルと比較することによって、人手を介することなく短時間で伝送路光ファイバ障害の評定を行うことができる。
【図面の簡単な説明】
【００１１】
【図１】本発明の一実施の形態に係る伝送路光ファイバの障害評定装置を適用したＯＡＤＭシステムの概略構成を示すとともに、伝送信号の波長（ＷＧ）及び監視制御信号の波長（ＳＶ波長）の流れを示す説明図である。
【図２】伝送信号の波長及びＳＶ波長の流れを示す説明図である。
【図３】伝送信号の波長及びＳＶ波長の流れを示す説明図である。
【図４】伝送信号の波長及びＳＶ波長の流れを示す説明図である。
【図５】伝送信号の波長及びＳＶ波長の流れを示す説明図である。
【図６】伝送信号の波長及びＳＶ波長の流れを示す説明図である。
【図７】障害評定動作の説明図である。
【図８】障害評定動作の説明図である。
【図９】トランク局に設けられているＷＤＭ装置の内部構成図である。
【図１０】ブランチ局に設けられているＷＤＭ装置の内部構成図である。
【図１１】ＳＶ回路の詳細図である。
【図１２】従来のＷＤＭ装置の内部構成図である。
【図１３】従来のＷＤＭ装置の内部構成図である。
【発明を実施するための形態】
【００１２】
以下、本発明を実施するための形態を図面に基いて説明する。図１は、本発明の一実施の形態に係る伝送路光ファイバの障害評定装置を適用したＯＡＤＭシステムの概略構成図である。
図中、Ａ、Ｂは所定距離離れて設置されているトランク局であり、ここでは、トランク局Ａからトランク局Ｂへの伝送方向が上り方向（ＵＰ方向）とされ、トランク局Ｂからトランク局Ａへの伝送方向が下り方向（ＤＯＷＮ方向）とされている。また、図中、Ｃ、Ｄは、両トランク局Ａ、Ｂに互いに所定の間隔を保って設けられたブランチ局である。そして、両トランク局Ａ、Ｂ及び両ブランチ局Ｃ、Ｄには、それぞれＷＤＭ装置１、２、３、４が設けられている。
【００１３】
上記ブランチ局Ｃ、Ｄのうち、ブランチ局Ｃは、ブランチユニット（Ｂｒａｎｃｈ  Ｕｎｉｔ（以下、「ＢＵ」という。））５を介して伝送路に接続されている。すなわち、このＢＵ５は、伝送方向のＵＰ方向とは、光カプラや光フィルタなどによって構成されるＡＤＤ／ＤＲＯＰ回路５１を介して接続されているとともに、ＤＯＷＮ方向とは、ＡＤＤ／ＤＲＯＰ回路５２を介して接続されている。また、ブランチＤ局は、伝送方向のＵＰ方向とは、ＡＤＤ／ＤＲＯＰ回路６１を介して接続されているとともに、ＤＯＷＮ方向とは、ＡＤＤ／ＤＲＯＰ回路６２を介して接続されている。
【００１４】
上述した図１及び図２〜図６には、伝送信号の波長ＷＧ及び監視制御信号（ＳＶ信号）のＳＶ波長の流れが図示されている。
図２は、トランク局Ｂからトランク局Ａへ通過（ＤＯＷＮ方向）する波長群ＷＧ４、ＷＧ５、ＷＧ６を、ＢＵ５、６とブランチ局Ｃ、Ｄ間で一部の波長群をＤＲＯＰ・ＡＤＤするＯＡＤＭシステム構成と、主信号の流れを示す。図３は、波長群ＷＧ１〜ＷＧ６と異なる単波長ａのＳＶ（Ｓｕｐｅｒｖｉｓｏｒｙ）信号を、トランク局Ａから他局全てに送信するＳＶ信号の流れを示す。図４は、波長群ＷＧ１〜ＷＧ６と異なる単波長ｂのＳＶ信号を、トランク局Ｂから他局全てに送信するＳＶ信号の流れを示す。図５は、波長群ＷＧ１〜ＷＧ６と異なる単波長ｃ１、ｃ２のＳＶ信号を、ブランチ局Ｃから他局全てに送信するＳＶ信号の流れを示す。図６は波長群ＷＧ１〜ＷＧ６と異なる単波長ｄ１、ｄ２のＳＶ信号を、ブランチ局Ｄから他局全てに送信するＳＶ信号の流れを示す。図３〜６で送信されているＳＶ信号は、他局のＷＤＭ装置で収集された波長断情報が乗せられている。なお、図７及び図８は、図１〜図６と同様の構成をしているが、後に、これら図を用いて障害評定動作の説明を行う。
これら図１〜図６から、伝送信号の波長ＷＧ及び監視制御信号のＳＶ波長の流れを容易に理解することができるが、図１及び図２を用いて簡単に説明すると、トランク局ＡのＷＤＭ装置１は、ＵＰ方向に波長群ＷＧ１、ＷＧ２、ＷＧ３と監視制御信号のＳＶ波長ａとを送信し（図１参照）、ＤＯＷＮ方向から波長群ＷＧ４、ＷＧ５、ＷＧ６と、ＳＶ波長ｂ、ｃ２、ｄとを受信できるように構成されている（図２参照）。
トランク局ＢのＷＤＭ装置２は、ＤＯＷＮ方向に波長群ＷＧ４、ＷＧ５、ＷＧ６とＳＶ波長ｂを送信し（図２参照）、ＵＰ方向から波長群ＷＧ１、ＷＧ２、ＷＧ３と、ＳＶ波長ａ、ｃ１、ｄ１とを受信できるように構成されている（図１参照）。
【００１５】
ブランチ局ＣのＷＤＭ装置３は、ＵＰ方向に波長群ＷＧ１とＳＶ波長ｃ１とを送信し、ＵＰ方向の波長群ＷＧ１とＳＶ波長ａとを受信できるように構成されている（図１参照）。また、ＤＯＷＮ方向に波長群ＷＧ４とＳＶ波長ｃ２とを送信し、ＤＯＷＮ方向の波長群ＷＧ４とＳＶ波長ｂ、ｄ２とを受信できるように構成されている（図２参照）。
トランク局ＤのＷＤＭ装置４は、ＵＰ方向に波長群ＷＧ２とＳＶ波長ｄ１とを送信し、ＵＰ方向の波長群ＷＧ２とＳＶ波長ａ、ｃ１を受信する構成されている（図１参照）。また、ＤＯＷＮ方向に波長群ＷＧ５とＳＶ波長ｄ２を送信し、波長群ＷＧ５とＳＶ波長ｂとを受信できるように構成されている（図２参照）。
【００１６】
上記ＢＵ５は、光カプラや光フィルタなどによって構成されるＡｄｄ／Ｄｒｏｐ回路５１により、ＷＤＭ装置１からの波長群ＷＧ１及びＳＶ波長ａをＷＤＭ装置３へ出力（Ｄｒｏｐ）し、ＷＤＭ装置３からの波長群ＷＧ１及びＳＶ波長ｃ１と、ＷＤＭ装置１からＷＧ１を取り除いた波長群ＷＧ２、ＷＧ３及びＳＶ波長ａを合波（Ａｄｄ）してＢＵ６へ出力するように構成されている。
また、Ａｄｄ／Ｄｒｏｐ回路５２により、ＢＵ６からの波長群ＷＧ４及びＳＶ波長ｂ、ｄ２をＷＤＭ装置３へ出力（Ｄｒｏｐ）し、ＷＤＭ装置３からの波長群ＷＧ４及びＳＶ波長ｃ２と、ＢＵ６からＷＧ４を取り除いた波長群ＷＧ５、ＷＧ６及びＳＶ波長ｂ、ｄ２を合波（Ａｄｄ）してＷＤＭ装置１へ出力するように構成されている。
【００１７】
ＢＵ６は、Ａｄｄ／Ｄｒｏｐ回路６１により、ＢＵ５からの波長群ＷＧ２及びＳＶ波長ａ、ｃ１をＷＤＭ装置４へ出力（Ｄｒｏｐ）し、ＷＤＭ装置４からの波長群ＷＧ２及びＳＶ波長ｄ１と、ＢＵ５から波長群ＷＧ２を取り除いた波長群ＷＧ１、ＷＧ３及びＳＶ波長ａ、ｃ１を合波（Ａｄｄ）してＷＤＭ装置２へ出力するように構成されている。
また、Ａｄｄ／Ｄｒｏｐ回路６２により、ＷＤＭ装置２からの波長群ＷＧ５及びＳＶ波長ｂをＷＤＭ装置４へ出力（Ｄｒｏｐ）し、ＷＤＭ装置４からの波長群ＷＧ５及びＳＶ波長ｄ２と、ＷＤＭ装置２から波長群ＷＧ５を取り除いた波長群ＷＧ４、ＷＧ６及びＳＶ波長ｂを合波（Ａｄｄ）してＢＵ５へ出力するように構成されている。
【００１８】
図９は、トランク局Ａに設けられているＷＤＭ装置１の内部構成が示されている。トランク局Ｂに設けられているＷＤＭ装置２も同様に構成されている。また、図１０は、ブランチ局Ｃに設けられているＷＤＭ装置４の内部構成が示されている。ブランチ局Ｄに設けられているＷＤＭ装置４も同様に構成されている。
最初に、ＷＤＭ装置１から説明すると、ＷＤＭ装置１には、波長多重分離部１０とＳＶ回路１１とを有していて、波長多重分離部１０は、波長群ＷＧ１、ＷＧ２、ＷＧ３を波長多重し、波長群ＷＧ４、ＷＧ５、ＷＧ６を波長分離するように構成されている。分岐器１２は波長多重したＷＧ１、ＷＧ２、ＷＧ３を他の装置へ出力するとともに、ＳＶ回路１１へ分岐するように構成され、分岐器１３は入力された波長群及びＳＶ波長を波長多重分離部１０とＳＶ回路１１とへ分岐するように構成されている。
【００１９】
ＷＤＭ装置３には、波長多重分離部３０とＳＶ回路３１とを有していて、波長多重分離部３０は、波長群ＷＧ１を波長多重し、波長群ＷＧ４を波長分離するように構成されている。分岐器３２は波長多重したＷＧ１を他の装置へ出力するとともに、ＳＶ回路３１へ分岐するように構成され、分岐器３３は入力された波長群、ＳＶ波長を波長多重分離部３０とＳＶ回路３１とへ分岐するように構成されている。
さらに、このＷＤＭ装置３には、波長多重分離部３４とＳＶ回路３５とを有していて、波長多重分離部３４は、波長群ＷＧ４を波長多重し、波長群ＷＧ１を波長分離するように構成されている。分岐器３６は波長多重したＷＧ１を他の装置へ出力するとともに、ＳＶ回路３５へ分岐するように構成され、分岐器３７は入力された波長群、ＳＶ波長を波長多重分離部３４とＳＶ回路３５とへ分岐するように構成されている。
【００２０】
図１１には、上述したＳＶ回路１１、３０、３５の内部構成が示されている。ここでは、図１１で示されているＳＶ回路１１を例にして説明する。
図１１において、分岐器１１１は、フィルタ１１２−１〜１１２−３と後述する波長断検出１１６に分岐するように構成されている。
フィルタ１１２−１はＳＶ波長ｂのみを抜き出すように構成され、Ｏ／Ｅ１１３−１はＳＶ波長ｂを光／電気変換を行うように構成され、ＣＯＤＥＣ１１４−１は符号化されたデータの復号化を行うように構成され、そして、ＦＲＡＭＥＲ１１５−１は復号化されたデータからＳＶ波長ｂで転送されてきたＷＤＭ装置２（トランク局Ｂ）の波長受信断情報ｂ−ｒ１とＳＶ波長受信断情報ｂ−ｒ２を抽出するように構成されている。同様なＳＶ波長違いの構成として、ＳＶ波長ｃ２ブロックとＳＶ波長ｄ２ブロックがあるが説明は省略する。
【００２１】
波長断検出器１１６は、自局に入力された波長群ＷＧ４、ＷＧ５、ＷＧ６及びＳＶ波長ｂ、ｃ２、ｄ２の波長有無を検出し、波長受信断情報ａ２―ｒ１とＳＶ波長受信断情報ａ２−ｒ２を抽出するように構成されている。
ＣＰＵ１１７は、抽出された自局、他局の波長受信断情報とＳＶ波長受信断情報とを、予め持っている伝送路光ファイバ障害の管理テーブルと比較して障害評定するように構成されている。
ＦＲＡＭＥＲ１１８は、波長受信断情報ａ２―ｒ１とＳＶ波長受信断情報ａ２−ｒ２とを他局へ送信するフレーム生成を行うように構成され、ＣＯＤＥＣ１１９は、データの符号化を行い、また、Ｅ／Ｏ１２０は、ＳＶ波長ａに電気／光変換を行うように構成されている。 
【００２２】
以下、図７及び図８を用いて本実施例の障害評定動作を説明する。先ず、図７には、丸印で示されるファイバ「１」、「２」、「３」、「４」が同時断となったときの伝送路光ファイバ障害が示されている。
このような伝送路光ファイバ障害が発生した場合、ＷＤＭ１装置では、波長群ＷＧ４断とＳＶ波長ｃ２断とが自装置のＳＶ回路１１によって検出されて、ＳＶ波長ａによってＷＤＭ装置１の波長受信断情報、ＳＶ波長受信断情報がＷＤＭ装置２とＷＤＭ装置４とに転送される。なお、ＷＤＭ装置３には、伝送路光ファイバ障害により転送されない。
ＷＤＭ２装置では、波長群ＷＧ１断とＳＶ波長ｃ１断が自装置のＳＶ回路１１によって検出されて、ＳＶ波長ｂによってＷＤＭ装置２の波長受信断情報、ＳＶ波長受信断情報がＷＤＭ装置１とＷＤＭ装置４とに転送される。なお、ＷＤＭ装置３には、伝送路光ファイバ障害により転送されない。
ＷＤＭ３装置では、波長群ＷＧ１、ＷＧ４断とＳＶ波長ａ、ｂ、ｄ２断とが自装置のＳＶ回路によって検出される。なお、ＷＤＭ装置１、２、４には、伝送路光ファイバ障害により転送されない。
ＷＤＭ４装置では、ＳＶ波長ｃ１断が自装置のＳＶ回路によって検出されて、ＳＶ波長ｄ１、ｄ２によってＷＤＭ装置４の波長受信断情報、ＳＶ波長受信断情報がＷＤＭ装置１とＷＤＭ装置２とに転送される。なお、ＷＤＭ装置３には、伝送路光ファイバ障害により転送されない。
上述の受信断情報の状況は、表１にまとめられている。
【００２３】
【表１】
2010206630.tif 000003
【００２４】
上述のように、ＷＤＭ装置１、２、４では、表１のＷＤＭ３装置以外の波長受信断情報、ＳＶ波長受信断情報を収集することができるため、予めＳＶ回路内ＣＰＵに各障害時の波長受信断情報、ＳＶ波長受信断情報の管理テーブルをインプットしておいて取得データと比較を行うことによって、ＢＵ５とブランチ局Ｃ間の伝送路光ファイバ障害と評定することが可能となる。また、ＷＤＭ装置３のように、他局から受信される波長群及びＳＶ波長が全断しているような条件を、ＢＵ５とブランチ局Ｃ間の伝送路光ファイバ障害としてＳＶ回路内ＣＰＵの管理テーブルにインプットしておけば、伝送路光ファイバ障害の評定が可能となる。
【００２５】
図８には、丸印で示されるファイバ「１」、「２」が同時断となったときの伝送路光ファイバ障害が示されている。
このような伝送路光ファイバ障害が発生した場合、ＷＤＭ１装置では、波長受信断、ＳＶ波長受信断は検出されず、ＳＶ波長ａによってＷＤＭ装置１の波長受信断情報、ＳＶ波長受信断情報がＷＤＭ装置２とＷＤＭ装置４とに転送される。なお、ＷＤＭ装置３には、ファイバ障害により転送されない。
ＷＤＭ２装置では、波長群ＷＧ１断とＳＶ波長ｃ１断とが自装置のＳＶ回路によって検出されて、ＳＶ波長ｂによってＷＤＭ装置２の波長受信断情報、ＳＶ波長受信断情報とがＷＤＭ装置１とＷＤＭ装置３とＷＤＭ装置４とに転送される。
ＷＤＭ３装置では、波長群ＷＧ１断とＳＶ波長ａ断とが自装置のＳＶ回路によって検出されて、ＳＶ波長ｃ２によってＷＤＭ装置３の波長受信断情報、ＳＶ波長受信断情報がＷＤＭ装置１に転送される。なお、ＷＤＭ装置２、４には、ファイバ障害により転送されない。
ＷＤＭ４装置では、ＳＶ波長ｃ１断が自装置のＳＶ回路によって検出されて、ＳＶ波長ｄ１、ｄ２によってＷＤＭ装置４の波長受信断情報、ＳＶ波長受信断情報がＷＤＭ装置１とＷＤＭ装置２とＷＤＭ装置３とに転送される。
上述の受信断情報の状況は、表２にまとめられている。
【００２６】
【表２】
2010206630.tif 000004
【００２７】
上述のように、ＷＤＭ装置１では、表２の全装置の波長受信断情報、ＳＶ波長受信断情報を収集することができる。ＷＤＭ装置２では、表２のＷＤＭ装置３以外の波長受信断情報、ＳＶ波長受信断情報を収集することができる。ＷＤＭ装置３では、表２のＷＤＭ装置１以外の波長受信断情報、ＳＶ波長受信断情報を収集することができる。ＷＤＭ装置４では、表２のＷＤＭ装置３以外の波長受信断情報、ＳＶ波長受信断情報を収集することができる。したがって、予めＳＶ回路内ＣＰＵに各障害時の波長受信断情報、ＳＶ波長受信断情報の管理テーブルをインプットしておき取得データとの比較を行うことによって、ＢＵ５とブランチ局Ｃ間の丸印で示されるファイバ１、２の障害と評定することができる。
このように、伝送路光ファイバの障害箇所によって、各装置で収集される波長受信断情報やＳＶ波長受信断情報が異なるため、各局のＷＤＭ装置において伝送路光ファイバ障害評定を行うことが可能である。
【００２８】
上記構成からなる伝送路光ファイバの障害評定装置は、ＷＤＭ装置のＳＶ回路に信号波長とＳＶ波長の波長断検出を行う機能、その波長断情報をＳＶ波長で送信する機能を有することで、自局の波長受信断情報、ＳＶ波長受信断情報を他局に対して定期的に転送することができ、また、ＷＤＭ装置のＳＶ回路に異なるＳＶ波長の受信を行う機能を有することで、他局の波長受信断情報、ＳＶ波長受信断情報を定期的に収集することができ、さらに、ＷＤＭ装置で自局の波長受信断情報、ＳＶ波長受信断情報を定期的に収集する手段、及び他局の波長受信断情報、ＳＶ波長受信断情報を定期的に収集する手段を有しているので、ＷＤＭ装置で予め持っている伝送路光ファイバ障害の管理テーブルと比較することによって、人手を介することなく短時間で伝送路光ファイバ障害の評定ができる。 
【００２９】
以上、本発明の一実施の形態について図面を参照して詳説したが、具体的な構成は、上記実施の形態に限定されるものではなく、本発明の要旨を逸脱しない範囲において設計変更等が可能である。
例えば、上述の例では、両トランク局Ａ，Ｂ間に２個のブランチ局Ｃ，Ｄを設けているが、ブランチ局は１個又は３個以上であってもよいことはもちろんである。
【符号の説明】
【００３０】
Ａ，Ｂ……トランク局、Ｃ，Ｄ……ブランチ局
１，２，３，４……ＷＤＭ装置、５，６……ＢＵ、５１，５２，６１，６２……Ａｄｄ／Ｄｒｏｐ回路、１０，３０，３４……波長多重分離部、１１，３１，３５……ＳＶ回路、１２，１３，３２，３３，３６，３７……分岐器
【図１】
2010206630.tif 000005
【図２】
2010206630.tif 000006
【図３】
2010206630.tif 000007
【図４】
2010206630.tif 000008
【図５】
2010206630.tif 000009
【図６】
2010206630.tif 000010
【図７】
2010206630.tif 000011
【図８】
2010206630.tif 000012
【図９】
2010206630.tif 000013
【図１０】
2010206630.tif 000014
【図１１】
2010206630.tif 000015
【図１２】
2010206630.tif 000016
【図１３】
2010206630.tif 000017